(57)【要約】【課題】支台歯の築盛や、歯頚部や歯根部の被覆や、窩洞の充填等をフィラーの配合率を小さくして低粘度とした光重合型コンポジットレジンによって行うに際し、これらの作業と並行してその光重合型コンポジットレジンを光重合させることができる光重合型コンポジットレジン操作用インスツルメントを提供する。【解決手段】光重合型コンポジットレジン操作用インスツルメントを、把持部１の先端に設けられている光重合型コンポジットレジンの操作部２に向けて光重合型コンポジットレジンを光重合させる活性光線を照射する活性光線照射部が前記把持部１に設けられた構造にする。【選択図】        図１
2004283493.tif 000002
【特許請求の範囲】
【請求項１】
把持部（１）の先端に設けられている光重合型コンポジットレジンの操作部（２）に向けて光重合型コンポジットレジンを光重合させる活性光線を照射する活性光線照射部が前記把持部（１）に設けられていることを特徴とする光重合型コンポジットレジン操作用インスツルメント。
【請求項２】
活性光線照射部が把持部（１）内に設けられている請求項１に記載の光重合型コンポジットレジン操作用インスツルメント。
【請求項３】
操作部（２）が光透過性材料で構成されており、該操作部（２）の把持部（１）側基端が活性光線照射部に対向している請求項２に記載の光重合型コンポジットレジン操作用インスツルメント。
【請求項４】
活性光線照射部が把持部（１）に着脱自在に設けられている請求項１に記載の光重合型コンポジットレジン操作用インスツルメント。
【請求項５】
活性光線照射部の光源（１ａ）が青色発光ダイオードである請求項１から４の何れか１項に記載の光重合型コンポジットレジン操作用インスツルメント。
【請求項６】
操作部（２）が把持部（１）に着脱自在である請求項１から５の何れか１項に記載の光重合型コンポジットレジン操作用インスツルメント。
【発明の詳細な説明】
【０００１】
【産業上の利用分野】
本発明は、支台歯の築盛や、歯頚部や歯根部の被覆や、窩洞の充填等を光重合型コンポジットレジンによって行うに際し、これらの作業と並行してその光重合型コンポジットレジンを光重合させることができる光重合型コンポジットレジン操作用インスツルメントに関するものである。
【０００２】
【従来の技術】
従来、支台歯の築盛や、歯頚部や歯根部の被覆や、窩洞の充填等を歯科用コンポジットレジンによって行うには、把持部の先端に刃状やヘラ状や針状や球状などの操作部が設けられており、オートクレーブ殺菌が可能なステンレス鋼製などの歯科用インスツルメント（例えば、特許文献１，特許文献２，特許文献３参照。）が使用されていた。
【０００３】
このような歯科用インスツルメントを使用して支台歯の築盛や窩洞の充填等を行う歯科用コンポジットレジンは、主として重合性単量体（モノマー）とフィラーと重合開始剤より成り、天然歯と同様な色調を有し使用方法が簡単なことから多用されており、特に近年に至り重合開始剤として光重合開始剤を使用した光重合型コンポジットレジンが広く使用されるようになってきた。この光重合型コンポジットレジンは一般に高粘度のものであるため、支台歯の築盛や窩洞の充填等を行う作業中にその形状が殆ど変化しないので、歯科用インスツルメントを使用して支台歯の築盛や窩洞の充填等を行って所望の形状に仕上げた後に歯科用照射器を使用して活性光線を照射して光重合させる操作で何ら障害は発生していなかった。
【０００４】
しかるに近年、知覚過敏症や根面う蝕などにより歯頚部や歯根部を被覆する場合などや非常に浅い窩洞に充填する場合にも光重合型コンポジットレジンを使用する場合が生じてきており、このような場合には従来の高粘度の光重合型コンポジットレジンを使用しようとしても光重合型コンポジットレジンを薄く被覆又は充填することが困難であるため、フィラーの配合率を小さくして低粘度とした光重合型コンポジットレジンが開発されてきている。この低粘度の光重合型コンポジットレジンは、歯科用インスツルメントは勿論、小筆やスポンジを用いて容易に所望の部位に適用できるので、歯頚部や歯根部を被覆したり非常に浅い窩洞に充填したりすることが可能であるばかりでなく、シリンジから直接歯面に塗布したり充填したりすることも可能である。
【０００５】
しかしながら、この低粘度の光重合型コンポジットレジンは粘度が小さいので流動性が良いため、術者が予期しない部位まで流れていってしまうという問題がある。そこで術者はアシスタントにハンドガンタイプのような歯科用照射器（例えば、特許文献４参照。）を構えていて貰い、術者の合図に合わせてタイミング良く薄く被覆又は充填した光重合型コンポジットレジンに活性光線を照射して光重合させることによって光重合型コンポジットレジンが予期しない部位まで流れていってしまうという問題に対処していたが、この方法では術者の横にアシスタントが常駐している必要があるばかりか、術者が治療を行っている部位が臼歯のような口腔内の奥部であるとその術者が治療を行っている部位にアシスタントがタイミング良くしかも正確に活性光線を照射することは困難であった。
【０００６】
【特許文献１】
意匠登録第７４６４１８号公報
【特許文献２】
意匠登録第７４６４１９号公報
【特許文献３】
意匠登録第９７７８０３号公報
【特許文献４】
特開２００２−３１４１５１号公報
【０００７】
【発明が解決しようとする課題】
そこで、本発明は歯科用インスツルメントを使用して低粘度の光重合型コンポジットレジンを用いて支台歯の築盛や、歯頚部や歯根部の被覆や、窩洞の充填等を行うに際し、アシスタントの補助を要することなく術者単独で容易に治療や作業を行うことができる光重合型コンポジットレジン操作用インスツルメントを提供することを課題とする。
【０００８】
【課題を解決するための手段】
本発明者らは前記課題を解決すべく鋭意研究の結果、低粘度の光重合型コンポジットレジンを用いて支台歯の築盛や、歯頚部や歯根部の被覆や、窩洞の充填等を行う歯科用インスツルメントの把持部の先端に設けられている光重合型コンポジットレジンの操作部に向けて光重合型コンポジットレジンを光重合させる活性光線を照射する活性光線照射部を前記把持部に設ければよいことを究明して本発明を完成したのである。
【０００９】
即ち本発明は、把持部の先端に設けられている光重合型コンポジットレジンの操作部に向けて光重合型コンポジットレジンを光重合させる活性光線を照射する活性光線照射部が前記把持部に設けられていることを特徴とする光重合型コンポジットレジン操作用インスツルメントに関するものである。
【００１０】
そしてこのような光重合型コンポジットレジン操作用インスツルメントにおいて、活性光線照射部が把持部内に設けられていれば、インスツルメントをコンパクトにすることができ、また操作部が光透過性材料で構成されており該操作部の把持部側基端が活性光線照射部に対向していれば操作部のみに活性光線を重点的に照射させることができて好ましく、また活性光線照射部が把持部に着脱自在に設けられていれば、従来の歯科用インスツルメントに活性光線照射部を装着するだけで本発明の課題を達成させることができ、活性光線照射部の光源が青色発光ダイオードであれば小さな電力で光重合型コンポジットレジンの光重合を効果的に行うことができ、更に操作部が把持部に着脱自在であれば、一つの把持部と複数の操作部とで種々の操作が可能で好ましいことも究明したのである。
【００１１】
【発明の実施の形態】
以下、図面により本発明に係る光重合型コンポジットレジン操作用インスツルメントについて詳細に説明する。
図１は本発明に係る光重合型コンポジットレジン操作用インスツルメントの１実施例の斜視説明図、図２は本発明に係る光重合型コンポジットレジン操作用インスツルメントの他の実施例の斜視説明図、図３は本発明に係る光重合型コンポジットレジン操作用インスツルメントの更に他の実施例の斜視説明図である。
【００１２】
図面中、１は本発明に係る光重合型コンポジットレジン操作用インスツルメントの把持部であり、図１や図２に示す如くその内部に内蔵せしめられている電源としての乾電池（図示無し）及びこの乾電池で発光せしめられ後述する操作部２に向けて光重合型コンポジットレジンを光重合させる活性光線を照射する光源１ａとその外面に光源１ａを点灯するためのスイッチ１ｂとから成る活性光線照射部が設けられている態様や、図３に示す如く従来のインスツルメントの把持部に着脱自在でその内部に内蔵せしめられている電源としての乾電池（図示無し）及びこの乾電池で発光せしめられ後述する操作部２に向けて光重合型コンポジットレジンを光重合させる活性光線を照射する光源１ａが内蔵せしめられておりその外面に光源１ａを点灯するためのスイッチ１ｂとから成る活性光線照射部が設けられている態様がある。
【００１３】
この活性光線照射部における光源１ａとしては、光重合型コンポジットレジンを光重合させる活性光線を照射するものであれば特に制限はないが、光重合型コンポジットレジンを効果的に光重合させる波長の光線を照射する青色発光ダイオードであるとより好ましい。
【００１４】
２は把持部１の先端に設けられており、支台歯の築盛や、歯頚部や歯根部の被覆や、窩洞の充填等を光重合型コンポジットレジンによって行う光重合型コンポジットレジンの操作部である。この操作部２は、把持部１と一体を成している態様や、把持部１に着脱自在な態様があり、またその材料はステンレス鋼のようなオートクレーブ殺菌が可能で且つ耐蝕性に優れた材料から成る態様や、光ファイバーのような光透過性材料で構成されている態様があり、この後者の態様の場合は操作部２の把持部１側基端が把持部１の活性光線照射部に対向していることが操作部２のみに活性光線を重点的に照射させることができて好ましい。
【００１５】
この操作部２の形状としては、光重合型コンポジットレジンによって行う支台歯の築盛や、歯頚部や歯根部の被覆や、窩洞の充填等に応じて従来の歯科用インスツルメントの操作部と同様に、刃状やヘラ状や針状や球状などの種々の形状が存在する。
【００１６】
このような本発明に係る光重合型コンポジットレジン操作用インスツルメントを用いて支台歯の築盛や、歯頚部や歯根部の被覆や、窩洞の充填等を光重合型コンポジットレジンによって行うには、その把持部１を把持し、操作部２に光重合型コンポジットレジンを付着させて支台歯の築盛される部分に盛り付けたり、歯頚部や歯根部に被覆させたり、窩洞に充填させたりする操作を行うのであるが、この際光重合型コンポジットレジンが前述した如くフィラーの配合率を小さくして低粘度とした光重合型コンポジットレジンの場合には盛り付けたり被覆させたり充填させたりする部位から直ちに流れ出す現象が生じるので、低粘度とした光重合型コンポジットレジンを盛り付けたり被覆させたり充填させたりすると直ちに活性光線照射部のスイッチ１ｂをオンにして光源１ａを点灯させ光重合型コンポジットレジンに活性光線を照射して光重合させることによって光重合型コンポジットレジンが流れ出すことを防止するのである。
【００１７】
このように、光重合型コンポジットレジンを支台歯の築盛される部分に盛り付けたり、歯頚部や歯根部に被覆させたり、窩洞に充填させたりする操作を行う術者がこれらの操作を行っている本発明に係る光重合型コンポジットレジン操作用インスツルメントの操作部２の位置に向けて光重合型コンポジットレジンを光重合させる活性光線を直ちに照射することができるので、従来のようにアシスタントの援助が不要であると共に、光重合型コンポジットレジンを光重合させる活性光線を光重合させたい部位に適確に照射することができるのである。
【００１８】
また、光重合型コンポジットレジンの粘度が低粘度でない場合でも、盛り付けたり被覆させたり充填させたりした光重合型コンポジットレジンをその部位で光重合硬化させることが好ましい場合には、やはり活性光線照射部のスイッチ１ｂをオンにして光源１ａを点灯させ光重合型コンポジットレジンに活性光線を照射して光重合させることができるのである。
【００１９】
【発明の効果】
以上に詳述した如く、本発明に係る光重合型コンポジットレジン操作用インスツルメントは、把持部の先端に設けられている光重合型コンポジットレジンの操作部に向けて光重合型コンポジットレジンを光重合させる活性光線を照射する活性光線照射部が前記把持部に設けられているので、光重合型コンポジットレジンがフィラーの配合率を小さくして低粘度とした光重合型コンポジットレジンの如く盛り付けたり被覆させたり充填させたりする部位から流れ出す前に直ちに活性光線照射部から光重合型コンポジットレジンに活性光線を照射して光重合させることによって光重合型コンポジットレジンが流れ出すことを防止でき、その結果従来のようにアシスタントの援助が不要であると共に、光重合型コンポジットレジンを光重合させる活性光線を光重合させたい部位に適確に照射することができるのである。
【００２０】
そして、活性光線照射部が把持部内に設けられていれば、インスツルメントをコンパクトにすることができ、また操作部が光透過性材料で構成されており該操作部の把持部側基端が活性光線照射部に対向していれば操作部のみに活性光線を重点的に照射させることができ、また活性光線照射部が把持部に着脱自在に設けられていれば、従来の歯科用インスツルメントに活性光線照射部を装着するだけで本発明の課題を達成させることができ、活性光線照射部の光源が青色発光ダイオードであれば小さな電源で光重合型コンポジットレジンの光重合を効果的に行うことができ、更に操作部が把持部に着脱自在であれば、一つの把持部と複数の操作部とで種々の操作が可能で好ましいのである。
【００２１】
このような種々の効果を奏する本発明に係る光重合型コンポジットレジン操作用インスツルメントの歯科分野に貢献する価値は非常に大きなものである。
【図面の簡単な説明】
【図１】本発明に係る光重合型コンポジットレジン操作用インスツルメントの１実施例の斜視説明図である。
【図２】本発明に係る光重合型コンポジットレジン操作用インスツルメントの他の実施例の斜視説明図である。
【図３】本発明に係る光重合型コンポジットレジン操作用インスツルメントの更に他の実施例の斜視説明図である。
【符号の説明】
１  把持部
１ａ  光源
１ｂ  スイッチ
２  操作部
【図１】
2004283493.tif 000003
【図２】
2004283493.tif 000004
【図３】
2004283493.tif 000005